(57)【要約】【課題】必要に応じて側方に空気を吹き出させることができる空気調和機の室内機の提供。【解決手段】空気調和機の室内機１１０は、室内の壁面に取り付けられる壁掛型の室内機であって、室内機本体１１１と、前面パネル１１３とを備えている。室内機本体１１１は、ケーシング本体１１２ａを有する。ケーシング本体１１２ａの側面には、側方に空気を吹き出すための側方開口部１１７が形成されている。前面パネル１１３は、側方開口部１１７を開閉可能である。また、前面パネル１１３は、室内機本体１１１に対して上方に移動することで、閉状態から開状態に移行する。【選択図】図１７
2011191055.tif 000002
【特許請求の範囲】
【請求項１】
室内の壁面に取り付けられる壁掛型の室内機であって、
側方に空気を吹き出すための側方吹出口（１１７）が側面に形成されているケーシング（１１２ａ）を有する本体（１１１）と、
前記側方吹出口を開閉可能な遮蔽部材（１１３）と、
を備え、
前記遮蔽部材（１１３）は、前記本体（１１１）に対して上方に移動することで、閉状態から開状態に移行する、
空気調和機の室内機（１１０）。
【請求項２】
前記遮蔽部材は、前記ケーシングの前側に位置する前面パネルである、
請求項１に記載の空気調和機の室内機。
【請求項３】
前記ケーシング内には、前記ケーシング内部の空気流を形成可能なクロスフローファンが１つ配置されている、
請求項１又は２に記載の空気調和機の室内機。
【発明の詳細な説明】
【技術分野】
【０００１】
本発明は、空気調和機の室内機に関する。
【背景技術】
【０００２】
従来より、側方に向かって調和空気を吹き出し可能な壁掛型の空気調和機の室内機がある。例えば、特許文献１（特開２００６−２９８４号公報）に記載の空気調和機では、本体（室内機に相当）には、正面下部に形成されている吹出口と側面に形成されており吹出口に連通している左右吹出口とが設けられている。また、この空気調和機は吹出口を覆うことが可能な上下風向板を備えており、上下風向板が吹出口を閉塞することで、左右吹出口から本体の左右側方への送風を可能にしている。このようにして、この空気調和機では、本体から側方に向かって空気を吹き出すことができる。
【発明の概要】
【発明が解決しようとする課題】
【０００３】
ところで、特許文献１に開示されている空気調和機では、本体の正面側に位置する吹出口は上下風向板によって覆われているが、本体の側面側に位置する左右吹出口は上下風向板によって覆われていない構造になっている。言い換えると、この空気調和機では、本体の内部空間と本体の外部空間とが、左右吹出口を介して常に連通している。このため、この空気調和機において空気流が生成される場合には、左右吹出口から空気が吹き出される可能性がある。したがって、空気の吹き出し方向を室内機の前方のみに設定したい場合であっても、室内機の側方にも空気が吹き出される。
【０００４】
そこで、本発明の課題は、必要に応じて側方に空気を吹き出させることができる空気調和機の室内機を提供することにある。
【課題を解決するための手段】
【０００５】
第１発明に係る空気調和機の室内機は、室内の壁面に取り付けられる壁掛型の室内機であって、本体と、遮蔽部材とを備えている。本体は、ケーシングを有する。ケーシングの側面には、側方に空気を吹き出すための側方吹出口が形成されている。遮蔽部材は、側方吹出口を開閉可能である。また、遮蔽部材は、本体に対して上方に移動することで、閉状態から開状態に移行する。
【０００６】
第１発明に係る空気調和機の室内機では、遮蔽部材によって、側方吹出口が開閉される。このため、例えば、側方に空気を吹き出させる必要がない場合には、遮蔽部材の状態を、側方吹出口が遮蔽部材によって遮蔽されている閉状態にすることができる。また、例えば、側方に空気を吹き出させる必要がある場合には、遮蔽部材の状態を、側方吹出口が開放されている開状態にすることができる。
【０００７】
これによって、必要に応じて側方に空気を吹き出させることができる。
【０００８】
また、この空気調和機の室内機では、遮蔽部材を本体に対して上方に移動することで、閉状態から開状態に移行させることができる。
【０００９】
第２発明に係る空気調和機の室内機は、第１発明の空気調和機の室内機であって、遮蔽部材は、ケーシングの前側に位置する前面パネルである。この空気調和機の室内機では、ケーシングの前側に位置する前面パネルによって、側方吹出口を開閉することができる。
【００１０】
第３発明に係る空気調和機の室内機は、第１発明又は第２発明の空気調和機の室内機であって、ケーシング内には、ケーシング内部の空気流を形成可能なクロスフローファンが１つ配置されている。このため、例えば、ケーシング内部の空気流を形成可能なクロスフローファンが複数ケーシング内に配置されている場合と比較して、部品点数を削減することができる。
【発明の効果】
【００１１】
第１発明に係る空気調和機の室内機では、必要に応じて側方に空気を吹き出させることができる。
【００１２】
第２発明に係る空気調和機の室内機では、ケーシングの前側に位置する前面パネルによって、側方吹出口を開閉することができる。
【００１３】
第３発明に係る空気調和機の室内機では、部品点数を削減することができる。
【図面の簡単な説明】
【００１４】
【図１】本発明の第１実施形態に係る室内機であって、上下風向調整羽根および側方遮蔽部材が閉状態である室内機の斜視図。
【図２】本発明の第１実施形態に係る室内機であって、上下風向調整羽根が第２開状態であり、左側方遮蔽部材が閉状態であり、右側方遮蔽部材が開状態である室内機の斜視図。
【図３】本発明の第１実施形態に係る室内機の概略断面図（室内熱交換器は省略）。
【図４】上下風向調整羽根の状態が閉状態である場合の上下風向調整羽根および取り付け板の外観斜視図。
【図５】第１開状態である上下風向調整羽根を室内機の側方から視た概念図。
【図６】室内機の底面図であって、（ａ）上下風向調整羽根および右側方遮蔽部材が閉状態である場合を示す図、（ｂ）上下風向調整羽根が第１開状態であって右側方遮蔽部材が開状態である場合を示す図。
【図７】上下風向調整羽根が第２開状態であって、右側方遮蔽部材が閉状態である室内機の斜視図であって、右側方遮蔽部材近傍の部分拡大図。
【図８】上下風向調整羽根が第２開状態であって、右側方遮蔽部材が開状態である室内機の斜視図であって、右側方遮蔽部材近傍の部分拡大図。
【図９】上下風向調整羽根が第１開状態であって、右側方遮蔽部材が開状態である室内機の側面図であって、室内機の下部を示す図。
【図１０】上下風向調整羽根が第２開状態であって、右側方遮蔽部材が閉状態である室内機の断面図であって、右側方遮蔽部材近傍の部分拡大図。
【図１１】上下風向調整羽根が第２開状態であって、右側方遮蔽部材が開状態である室内機の断面図であって、右側方遮蔽部材近傍の部分拡大図。
【図１２】右側方遮蔽部材近傍の斜視図（室内機ケーシングの前部は省略）。
【図１３】室内機の側面視における第２移動機構の概念図。
【図１４】空気調和機の備える制御部の制御ブロック図。
【図１５】本発明の第２実施形態に係る室内機であって、空気調和機の運転が停止している状態の室内機の外観斜視図。
【図１６】本発明の第２実施形態に係る室内機であって、空気調和機において暖房運転が行われている室内機の外観斜視図。
【図１７】本発明の第２実施形態に係る室内機であって、空気調和機において暖房運転が行われており、かつ、側方開口部が開放されている状態の室内機の外観斜視図。
【発明を実施するための形態】
【００１５】
以下、図面を参照しながら本発明の実施形態に係る室内機を備える空気調和機について説明する。なお、以下の実施形態は、本発明の具体例であって、本発明の技術的範囲を限定するものではない。
【００１６】
−第１実施形態−
＜空気調和機の構成概略＞
図１は、空気調和機の運転停止時であって、上下風向調整羽根３０および側方遮蔽部材２０，９０が閉状態である室内機１０の斜視図である。図２は、上下風向調整羽根３０が第２開状態であり、左側方遮蔽部材９０が閉状態であり、右側方遮蔽部材２０が開状態である室内機１０の斜視図である。なお、以下にいう室内機１０の左右方向Ｙ１とは、図１に示すように、室内機１０の長手方向に平行な方向のことである。また、室内機１０の前後方向Ｙ２とは、図１に示すように、室内機１０の厚さ方向に平行な方向のことである。
【００１７】
空気調和機は、室内の壁面Ｗに取り付けられる室内機１０と、室外に設置される室外機２（図１４参照）とを備えており、冷房運転および暖房運転等の各種運転を実行することができる。
【００１８】
室外機２は、圧縮機３と、圧縮機３の吐出側に接続されている四路切換弁４と、圧縮機３の吸入側に接続されるアキュムレータと、四路切換弁４に接続されている室外熱交換器と、室外熱交換器に接続された室外膨張弁７とを有している（図１４参照）。室外膨張弁７は、冷媒配管を介して後述する室内熱交換器の一端と接続される。また、四路切換弁４は、冷媒配管を介して室内熱交換器の他端と接続されている。また、室外機２内には、室外ファン９が設けられている。室外ファン９は、室外の空気を取り込み、室外熱交換器での熱交換後の空気を室外機２外部に排出するプロペラファンである。
【００１９】
室内機１０は、上述のように、室内の壁面Ｗ等に取り付けられる壁掛型の室内機１０である（図９参照）。また、室内機１０は、主として、室内機本体１１と、上下風向調整羽根３０と、側方遮蔽部材２０，９０と、収納部２５，９５と、第１移動機構５０と、第２移動機構２９，９９（図１４参照）と、を備えている。以下に、室内機本体１１、上下風向調整羽根３０、側方遮蔽部材２０，９０、収納部２５，９５、第１移動機構５０、第２移動機構２９，９９の順に説明する。
【００２０】
＜室内機本体の構成＞
図３は、上下風向調整羽根３０が第１開状態であって、側方遮蔽部材２０，９０が開状態である室内機１０の概略断面図である。なお、図３では、室内熱交換器を省略して描いている。
【００２１】
室内機本体１１は、主に、室内機ケーシング１２と、室内熱交換器と、１つの室内ファン１４と、垂直羽根１９とを備えている。
【００２２】
室内機ケーシング１２は、水平方向に長い略直方形状の部材である。また、室内機ケーシング１２には、室内熱交換器、室内ファン１４、および、垂直羽根１９等が収納されている。さらに、室内機ケーシング１２には、取込口（図示せず）と、吹出口１５とが形成されている。取込口は、室内の空気を室内機ケーシング１２の内側に取り込むための開口であって、室内機ケーシング１２の上部に形成されている。
【００２３】
また、吹出口１５は、室内機本体１１内で調和された空気を吹き出すための開口であって、室内機１０の下部近傍に室内機１０の左右方向Ｙ１に延びるように形成されている。具体的には、吹出口１５は、室内機ケーシング１２の底面から両側面にかけて連続して形成されている。このため、吹出口１５は、室内機１０の側面視において、その一部を視認可能である（図９参照）。なお、本実施形態では、吹出口１５が室内機ケーシング１２の底面から両側面にかけて連続して形成されているが、これに限定されず、吹出口が室内機ケーシングの前面、すなわち、正面から両側面にかけて連続して形成されていてもよい。また、吹出口が、室内機ケーシングの底面から両側面にかけて連続して形成されておらず、室内機ケーシングの底面と両側面とに別々に形成されていてもよい。
【００２４】
また、室内機ケーシング１２内には、取込口から吹出口１５に至る空気流路が形成されている。この空気流路内には、室内ファン１４、室内熱交換器および垂直羽根１９等が配置されている。また、この空気流路には、室内ファン１４から垂直羽根１９を介して吹出口１５に至るまでの流路部分である吹き出し流路が含まれる。なお、吹き出し流路は、室内機ケーシング１２の一部と、後述する収納部２５，９５の一部とから構成されている。
【００２５】
室内熱交換器は、長手方向両端で複数回折り返されてなる伝熱管と、伝熱管に挿通される複数のフィンとからなり、接触する空気との間で熱交換を行う。また、室内熱交換器は、暖房運転時には凝縮器として機能し、冷房運転時には蒸発器として機能する。
【００２６】
室内ファン１４は、モータ（図示せず）と、モータにより回転駆動される羽根車とを有するクロスフローファンである。また、室内ファン１４は、取込口から室内機ケーシング１２内に室内空気を吸入し、室内熱交換器を通過させた後に、吹出口１５から室内機ケーシング１２外に調和空気を吹き出す空気流を形成することができるように配置されている。
【００２７】
垂直羽根１９は、図３に示すように、吹き出し流路において、後述する収納部２５，９５の上端部よりも室内ファン１４近傍に配置されている。また、垂直羽根１９は、駆動モータ（図示せず）と、連結棒（図示せず）と、連結棒によって連結された複数枚の羽根１９ａとを有しており、揺動可能なように室内機ケーシング１２に取り付けられている。また、複数枚の羽根１９ａの面は、駆動モータによって連結棒が駆動されることで、室内機ケーシング１２の長手方向に対して垂直な状態を中心に左右に揺動する。さらに、羽根１９ａは、揺動することにより、または、揺動した後に任意の角度で止まることで、室内機１０の左右方向における調和空気の吹き出し方向を調整する。
【００２８】
＜上下風向調整羽根＞
図４は、上下風向調整羽根３０の状態が閉状態である場合の上下風向調整羽根３０および取り付け板８０の外観斜視図である。図５は、室内機１０の側面図であって、第１開状態である上下風向調整羽根３０の概念図である。図６（ａ）は、上下風向調整羽根３０および右側方遮蔽部材２０が閉状態である場合の室内機１０の底面図である。図６（ｂ）は、上下風向調整羽根３０が第１開状態であって右側方遮蔽部材２０が開状態である場合の室内機１０の底面図である。なお、図５では、側方遮蔽部材２０，９０、収納部２５，９５および第２移動機構２９，９９を省略して描いている。また、以下にいう上下風向調整羽根３０の前側端部とは、上下風向調整羽根３０において、上下風向調整羽根３０が閉状態である場合に室内機１０の前側に近い側の端部を意味している。さらに、以下にいう上下風向調整羽根３０の後側端部とは、上下風向調整羽根３０において、上下風向調整羽根３０が閉状態である場合に室内機１０の後側に近い側の端部を意味している。
【００２９】
上下風向調整羽根３０は、室内機１０の左右方向に長い板状の部材である。また、上下風向調整羽根３０は、室内機１０の下部に配置されている。具体的には、上下風向調整羽根３０は、吹出口１５において室内機ケーシング１２の底面に形成されている開口部分の略全部を覆うことが可能なように配置されている。
【００３０】
さらに、上下風向調整羽根３０は、後述する第１移動機構５０と連結する連結部３１，３２，３３，３４，３５を有する。連結部３１，３２，３３，３４，３５は、上下風向調整羽根３０において、上下風向調整羽根３０が吹出口１５を覆っている状態で、室内機１０の外部から視認することができる面とは反対側の面に配置されている。また、連結部３１，３２，３３，３４，３５は、第１連結部３１，３２，３３と、第２連結部３４，３５とを含む。第１連結部３１，３２，３３は、上下風向調整羽根３０の前側端部近傍であって、上下風向調整羽根３０の両端部近傍および上下風向調整羽根３０の長手方向の略中央付近にそれぞれ配置されている（図２および図５参照）。第２連結部３４，３５は、上下風向調整羽根３０の後側端部近傍であって、上下風向調整羽根３０の長手方向の略中央付近にそれぞれ配置されている（図２および図５参照）。また、各第２連結部３４，３５は、上下風向調整羽根３０の長手方向に対して平行な方向に並んで配置されている。さらに、第２連結部３４，３５は、上下風向調整羽根３０において、３箇所の第１連結部３１，３２，３３を結ぶ直線上から外れた位置に配置されている。このため、第１連結部３１，３２，３３および第２連結部３４，３５の位置が確定することで、上下風向調整羽根３０の位置および姿勢が確定する。
【００３１】
また、第１連結部３１，３２，３３および第２連結部３４，３５は、それぞれ軸支部を含む。各軸支部は、後述する支持軸４７，５７，６７，７８ａ，７８ｂを回転可能に軸支している。また、各軸支部は、摺動性に優れた部材（高摺動部材）によって構成されており、摩擦を抑えて支持軸４７，５７，６７，７８ａ，７８ｂを滑らかに回転させることができる。
【００３２】
さらに、上下風向調整羽根３０は、４つの状態（閉状態、第１開状態、第２開状態、および、第３開状態）を採ることが可能である。なお、以下より、説明の便宜上、吹出口１５において、上下風向調整羽根３０の状態が閉状態である場合に風向調整羽根３０によって覆われる部分、すなわち、上下風向調整羽根３０の状態が閉状態である場合に上下風向調整羽根３０の配置されている空間を、吹出口１５の第１部分１６という。また、本実施形態における「遮蔽」とは、吹出口１５の所定部分を覆うことが可能な部材によって、前記所定部分の略全部が覆われている状態を意味しており、本実施形態における「開放」とは、吹出口１５の所定部分を覆うことが可能な部材によって、前記所定部分の略全部が覆われていない状態を意味している。例えば、吹出口１５の第１部分１６の略全体が上下風向調整羽根３０によって覆われている状態を吹出口１５の第１部分１６が遮蔽されている状態とし、吹出口１５の第１部分１６の略全体が上下風向調整羽根３０によって覆われていない状態を吹出口１５の第１部分１６が開放されている状態とする。
【００３３】
上下風向調整羽根３０の状態が閉状態の場合、上下風向調整羽根３０は、吹出口１５の第１部分１６を覆うように配置される（図１および図６（ａ）参照）。このため、上下風向調整羽根３０の状態が閉状態の場合には、上下風向調整羽根３０によって吹出口１５の第１部分１６が遮蔽される。
【００３４】
上下風向調整羽根３０の状態が第１開状態の場合、上下風向調整羽根３０は、吹出口１５の第１部分１６、すなわち、吹出口１５において第１部分１６に相当する開口面に対して略平行に対向するように配置される（図５参照）。このため、開放されている吹出口１５の第１部分１６から吹き出された空気は、上下風向調整羽根３０に規制されて、室内機１０の前方に向かって吹き出される。
【００３５】
上下風向調整羽根３０の状態が第２開状態の場合、上下風向調整羽根３０は、吹出口１５において第１部分１６に相当する開口面に対して所定角度だけ傾斜するように配置される。具体的には、上下風向調整羽根３０は、上下風向調整羽根３０の後側端部が前側端部よりも吹出口１５の第１部分１６に対して近くなるように、前後方向に傾斜して配置される（図２参照）。このため、開放されている吹出口１５の第１部分１６から吹き出された空気は、上下風向調整羽根３０に規制されて、室内機１０の前方に向かって吹き出される。
【００３６】
また、上下風向調整羽根３０の状態が第２開状態である場合、上下風向調整羽根３０は、吹出口１５において第１部分１６に相当する開口面に対して前後方向に傾斜して配置されている。このため、上下風向調整羽根３０の状態が第２開状態である場合には、上下風向調整羽根３０の状態が第１開状態である場合と比較して、室内機１０の下方に向かう空気流が形成される。このため、以下より、上下風向調整羽根３０の状態が第２開状態である場合に吹出口１５から吹き出された空気が向かう方向を前側下方といい、上下風向調整羽根３０の状態が第１開状態である場合に吹出口１５から吹き出された空気が向かう方向を前側上方という。
【００３７】
上下風向調整羽根３０の状態が第３開状態の場合、上下風向調整羽根３０は、吹出口１５において第１部分１６に相当する開口面に対して所定角度だけ傾斜するように配置される。具体的には、上下風向調整羽根３０は、上下風向調整羽根３０の前側端部が後側端部よりも吹出口１５の第１部分１６に近くなるように、前後方向に傾斜して配置される。このため、開放されている吹出口１５の第１部分１６から吹き出された空気は、上下風向調整羽根３０に規制されて、室内機１０の下方に向かって吹き出される。
【００３８】
＜側方遮蔽部材＞
図７は、上下風向調整羽根３０が第２開状態であって、右側方遮蔽部材２０が閉状態である場合の室内機１０の斜視図であって、右側方遮蔽部材２０近傍の部分拡大図である。図８は、上下風向調整羽根３０が第２開状態であって、右側方遮蔽部材２０が開状態である場合の室内機１０の斜視図であって、右側方遮蔽部材２０近傍の部分拡大図である。図９は、上下風向調整羽根３０が第１開状態であって、右側方遮蔽部材２０が開状態である場合の室内機１０の側面図であって、室内機１０の下部を示す図である。
【００３９】
側方遮蔽部材２０，９０は、室内機１０の左右両側方下部に配置されている。具体的には、側方遮蔽部材２０，９０は、室内機１０の下部の角部に沿った湾曲した形状を呈する部材であって、吹出口１５において室内機ケーシング１２の底面から側面にかけて形成されている開口部分を覆うことが可能である。また、側方遮蔽部材２０，９０は、吹出口１５において、上下風向調整羽根３０によって覆われる吹出口１５の第１部分１６以外の部分を覆うことが可能である。なお、以下より、説明の便宜上、吹出口１５において、側方遮蔽部材９０が閉状態である場合に側方遮蔽部材９０によって覆われる部分、言い換えると、吹出口１５において側方遮蔽部材９０が閉状態である場合に側方遮蔽部材９０の配置される空間を吹出口１５の第２部分１７ａという。また、側方遮蔽部材２０が閉状態である場合に側方遮蔽部材２０によって覆われる部分、言い換えると、吹出口１５において側方遮蔽部材２０が閉状態である場合に側方遮蔽部材２０の配置される空間を吹出口１５の第３部分１７ｂという。
【００４０】
また、側方遮蔽部材２０，９０は、側方遮蔽部材２０，９０と上下風向調整羽根３０とが吹出口１５を遮蔽している状態である場合には、室内機１０の底面視において、吹出口１５のうち室内機ケーシング１２の底面に形成されている開口部分を覆う側方遮蔽部材２０，９０の一部と上下風向調整羽根３０とが左右方向に概ね連続して配置される（図６（ａ）参照）。
【００４１】
次に、側方遮蔽部材２０，９０の構成について説明する。なお、以下より、側方遮蔽部材２０，９０のうち、室内機１０の正面視において、室内機１０の右側下部に配置される側方遮蔽部材２０を右側方遮蔽部材２０といい、室内機１０の左側下部に配置される側方遮蔽部材９０を左側方遮蔽部材９０という。また、左側方遮蔽部材９０は、右側方遮蔽部材２０の構成を左右対称にした構成と同様であるため、ここでは、右側方遮蔽部材２０の構成のみを説明し、左側方遮蔽部材９０の構成については説明を省略する。
【００４２】
右側方遮蔽部材２０は、第１部２１と、第２部２２とを有する。第１部２１には、右側方遮蔽部材２０の第１端部２０ａが含まれる。また、第１部２１は、第３部分１７ｂのうち吹出口１５において室内機ケーシング１２の底面に形成されている開口部分を覆うことが可能である。第２部２２には、右側方遮蔽部材２０が閉状態である場合に第１端部２０ａよりも上方に位置する第２端部２０ｂが含まれる。また、第２部２２は、第３部分１７ｂのうち吹出口１５において室内機ケーシング１２の側面に形成されている開口部分を覆うことが可能である。
【００４３】
また、側方遮蔽部材２０，９０は、２つの状態（閉状態および開状態）を採ることが可能である。
【００４４】
側方遮蔽部材２０，９０の状態が閉状態である場合、右側方遮蔽部材２０が吹出口１５の第３部分１７ｂを覆うように配置され、左側方遮蔽部材９０が吹出口１５の第２部分１７ａを覆うように配置される（図７参照）。このため、上下風向調整羽根３０および側方遮蔽部材２０，９０が閉状態である場合には、吹出口１５が遮蔽される。
【００４５】
側方遮蔽部材２０，９０の状態が開状態である場合、右側方遮蔽部材２０が吹出口１５の第３部分１７ｂを開放するように配置され、左側方遮蔽部材９０が吹出口１５の第２部分１７ａを開放するように配置される（図８参照）。
【００４６】
なお、本実施形態では、側方遮蔽部材２０，９０が開状態と採る場合には、上下風向調整羽根３０は、第１開状態、第２開状態または第３開状態のいずれかの状態を採るものとする。また、本実施形態では、側方遮蔽部材２０，９０において、側方遮蔽部材２０，９０が閉状態である場合に室内機１０の外側から視認可能な意匠面とは反対側の面である内面には、結露防止のために発泡材が貼り付けられている。
【００４７】
＜収納部＞
図１０は、上下風向調整羽根３０が第２開状態であって、右側方遮蔽部材２０が閉状態である室内機１０の断面図であって、右側方遮蔽部材２０近傍の部分拡大図である。図１１は、上下風向調整羽根３０が第２開状態であって、右側方遮蔽部材２０が開状態である室内機１０の断面図であって、右側方遮蔽部材２０近傍の部分拡大図である。
【００４８】
収納部２５，９５は、開状態である側方遮蔽部材２０，９０の一部が収納される収納空間Ｓを形成する第１形成部材２６，９６と第２形成部材２７，９７とをそれぞれ有する（図１０参照）。具体的には、第１形成部材２６，９６と第２形成部材２７，９７とによって形成される収納空間Ｓには、開状態である側方遮蔽部材２０，９０の第１部（２１；図１１参照）が収納される。また、第１形成部材２６，９６および第２形成部材２７，９７は、室内機ケーシング１２に固定されている。さらに、収納部２５は、吹き出し流路において吹出口１５の第３部分１７ｂ近傍に配置されている（図３参照）。また、収納部９５は、吹き出し流路において吹出口１５の第２部分１７ａ近傍に配置されている（図３参照）。このため、吹き出し流路は、その下部において、収納部２５，９５によって３つの流路に分けられる。ここで、説明の便宜上、吹き出し流路において、その入口が２つの収納部２５，９５の上端部によって規定されており、その出口が吹出口１５の第１部分１６である流路部分を主吹き出し流路Ｂという。また、吹き出し流路において、収納部２５の上端部がその入口に位置しており、その出口が吹出口１５の第３部分１７ｂである流路部分を右側吹き出し流路Ｄという。また、吹き出し流路において、収納部９５の上端部がその入口に位置しており、その出口が吹出口１５の第２部分１７ａである流路部分を左側吹き出し流路Ｃという。このため、この室内機１０では、上下風向調整羽根３０によって主吹き出し流路Ｂの出口が塞がれ、右側方遮蔽部材２０によって左側吹き出し流路Ｃの出口が塞がれ、右側方遮蔽部材２０によって右側吹き出し流路Ｄの出口が塞がれる構成となっている。さらに、側方遮蔽部材２０，９０が開状態である場合には、各側方遮蔽部材２０，９０は、右側吹き出し流路Ｄおよび左側吹き出し流路Ｃから離れた位置に配置される。このため、この室内機１０では、側方遮蔽部材２０，９０が開状態である場合には、各側方遮蔽部材２０，９０が吹出口１５の第２部分１７ａおよび第３部分１７ｂから吹き出される調和空気に影響を与えないような構成となっている。したがって、右側方吹き出し流路Ｄおよび左側方吹き出し流路Ｃを流れる調和空気は、右側方吹き出し流路Ｄおよび左側方吹き出し流路Ｃを形成している流路形成部材に規制されて、側方に向かって開口している吹出口１５の第２部分１７ａおよび第３部分１７ｂから吹き出される。
【００４９】
また、第１形成部材２６，９６は、吹出口１５の第２部分１７ａ近傍または第３部分１７ｂ近傍から上方に延びている。第１形成部材２６，９６は、側方遮蔽部材２０，９０に対応可能なように湾曲した形状を呈しており、第１形成部材２６，９６の上部が第１形成部材２６，９６の下部よりも室内機本体１１の中央側に近くなるように傾斜して配置されている。さらに、図３に示すように、第１形成部材２６，９６は、右側方吹き出し流路Ｄおよび左側方吹き出し流路Ｃを形成する流路形成部材の一部であって、室内機ケーシング１２と共に右側方吹き出し流路Ｄおよび左側方吹き出し流路Ｃを形成している。
【００５０】
第２形成部材２７，９７は、開状態である側方遮蔽部材に干渉しないように、第１形成部材２６，９６の下側に配置されている。また、閉状態である上下風向調整羽根３０は、第２形成部材２７，９７の下側に配置される。
【００５１】
＜第１移動機構＞
第１移動機構５０は、吹出口１５の第１部分１６が遮蔽されている状態から吹出口１５の第１部分１６が開放されている状態となるように、上下風向調整羽根３０を移動させるための機構である。また、第１移動機構５０は、吹出口１５において第１部分１６に相当する開口面に対する上下風向調整羽根３０の位置を変更することで、上下風向調整羽根３０の状態（姿勢）を切り換えることができる。
【００５２】
第１移動機構５０は、迫り出し機構４１，５１，６１と、角度調整機構７１ａ，７１ｂと、を有している。
【００５３】
迫り出し機構４１，５１，６１は、上下風向調整羽根３０が吹出口１５近傍から前方に迫り出されるように、上下風向調整羽根３０と迫り出し機構４１，５１，６１とが連結されている部分である第１連結部３１，３２，３３を移動させることで、上下風向調整羽根３０をスライド移動、すなわち、迫り出し移動させることができる。
【００５４】
また、迫り出し機構４１，５１，６１は、ラック／ピニオン機構であって、図４および図５に示すように、ピニオン歯車４２，５２，６２と、移動部材４３，５３，６３とを有している。各ピニオン歯車４２，５２，６２は、後述する迫り出し機構駆動用モータ５４の有する駆動軸５４ａに連結されており、迫り出し機構駆動用モータ５４が駆動することによって回転する。移動部材４３，５３，６３は、各ピニオン歯車４２，５２，６２と噛み合うラック４６，５６，６６と、支持軸４７，５７，６７とを有している。ラック４６，５６，６６は、移動部材４３，５３，６３の一端部近傍から他端部近傍にかけて設けられている。各支持軸４７，５７，６７は、上下風向調整羽根３０の第１連結部３１，３２，３３の有する各軸支部を上下風向調整羽根３０の長手方向に対して平行に挿通しており、上下風向調整羽根３０を回動可能に支持している。
【００５５】
また、迫り出し機構４１，５１，６１は、１つの迫り出し機構駆動用モータ５４を有している。迫り出し機構駆動用モータ５４には、迫り出し機構駆動用モータ５４が駆動することによって回転する駆動軸５４ａが連結されている。また、上述のように、駆動軸５４ａには、各迫り出し機構４１，５１，６１のピニオン歯車４２，５２，６２が連結されている。このため、迫り出し機構駆動用モータ５４は、駆動軸５４ａを回転させることで、ピニオン歯車４２，５２，６２を回転させることができる。なお、迫り出し機構駆動用モータ５４は、後述する取り付け板８０に固定されている。
【００５６】
このような構成によって、迫り出し機構４１，５１，６１では、迫り出し機構駆動用モータ５４がピニオン歯車４２，５２，６２を回転させると、ピニオン歯車４２，５２，６２と噛み合うラック４６，５６，６６に動力が伝達されて、ピニオン歯車４２，５２，６２に対する移動部材４３，５３，６３の位置が変化する。このため、上下風向調整羽根３０は、移動部材４３，５３，６３の移動に伴って、吹出口１５における第１部分１６に相当する開口面に向かう方向、あるいは、吹出口１５における第１部分１６に相当する開口面から遠ざかる方向に移動する。なお、迫り出し機構駆動用モータ５４の回転量および回転方向は、後述する制御部８４によって制御されている。
【００５７】
また、角度調整機構７１ａ，７１ｂは、上下風向調整羽根３０の吹出口１５において第１部分１６に相当する開口面に対する前後方向の傾斜角度が調整されるように、上下風向調整羽根３０と角度調整機構７１ａ，７１ｂとが連結されている部分である第２連結部３４，３５を移動させる。
【００５８】
角度調整機構７１ａ，７１ｂは、角度調整機構駆動用モータ７３ａ，７３ｂと、リンク機構７２ａ，７２ｂと、を備えている。
【００５９】
角度調整機構駆動用モータ７３ａ，７３ｂは、駆動軸７９ａ，７９ｂを有している。角度調整機構駆動用モータ７３ａ，７３ｂは、ステッピングモータであって、駆動軸７９ａ，７９ｂを介してリンク機構７２ａ，７２ｂを駆動させる。リンク機構７２ａ，７２ｂは、揺動レバー７４ａ，７４ｂと、アーム７５ａ，７５ｂと、を有している。揺動レバー７４ａ，７４ｂは、その一端部が駆動軸７９ａ，７９ｂ近傍に配置されており、駆動軸７９ａ，７９ｂの回転に伴って揺動する。また、揺動レバー７４ａ，７４ｂの他端部は、アーム７５ａ，７５ｂの一端部と回動可能に連結されている。さらに、アーム７５ａ，７５ｂには、揺動レバー７４ａ，７４ｂと連結している端部とは反対側の端部近傍に支持軸７８ａ，７８ｂが形成されている。支持軸７８ａ，７８ｂは、上下風向調整羽根３０の第２連結部３４，３５の軸支部とそれぞれ係合しており、上下風向調整羽根３０を回動可能の支持している。
【００６０】
このような構成によって、角度調整機構７１ａ，７１ｂは、角度調整機構駆動用モータ７３ａ，７３ｂが駆動することで、上下風向調整羽根３０の第２連結部３４，３５を押し引きすることができる。なお、リンク機構７２ａ，７２ｂの回転角度、すなわち、角度調整機構駆動用モータ７３ａ，７３ｂの回転量および回転方向は、後述する制御部８４によって制御されている。
【００６１】
また、第１移動機構５０は、取り付け板８０を有している。取り付け板８０は、吹出口１５において第１部分１６に相当する開口面よりも上方に配置されている。また、取り付け板８０の上面には、１つの迫り出し機構駆動用モータ５４および２つの角度調整機構駆動用モータ７３ａ，７３ｂが固定されている。具体的には、迫り出し機構駆動用モータ５４は、取り付け板８０の左側の端部近傍に固定されている。また、角度調整機構駆動用モータ７３ａ，７３ｂは、取り付け板８０の略中央部にそれぞれ固定されている。このようにして、迫り出し機構駆動用モータ５４および角度調整機構駆動用モータ７３ａ，７３ｂは、取り付け板８０とともに、室内機ケーシング１２の内部に収納されている。
【００６２】
＜第２移動機構＞
図１２は、右側方遮蔽部材２０近傍の斜視図である。図１３は、室内機１０の側面視における第２移動機構２９の概念図である。なお、図１２では、室内機ケーシング１２の前部および収納部２５を省略して描いている。また、図１３中の一点鎖線は、右側方遮蔽部材２０の回転軸を示している。
【００６３】
第２移動機構２９，９９は、第１移動機構５０とは別の移動機構であって、吹出口１５の第２部分１７ａおよび第３部分１７ｂが遮蔽されている状態から吹出口１５の第２部分１７ａおよび第３部分１７ｂが開放されている状態となるように、側方遮蔽部材２０，９０を移動させることが可能な機構である。言い換えると、第２移動機構２９，９９は、側方遮蔽部材２０，９０の状態を切り換えるために、側方遮蔽部材２０，９０を移動させるための機構である。具体的には、第２移動機構２９，９９は、側方遮蔽部材２０，９０の状態が閉状態から開状態に切り換わるように、閉状態である側方遮蔽部材２０，９０を室内機本体１１の左右方向の中央に向かって移動させる。また、このとき、第２移動機構２９，９９は、側方遮蔽部材２０，９０が上下風向調整羽根３０の上側に配置されるように、側方遮蔽部材２０，９０を移動させる。
【００６４】
次に、第２移動機構２９，９９の構成について説明する。また、第２移動機構２９，９９は、右側方遮蔽部材２０の状態を切り換えるための第２移動機構２９と、左側方遮蔽部材９０の状態を切り換えるための第２移動機構９９とを有する。なお、第２移動機構９９は、第２移動機構２９の構成を左右対称にした構成と同様であるため、ここでは、第２移動機構２９の構成のみを説明し、第２移動機構９９の構成については説明を省略する。
【００６５】
第２移動機構２９は、第２移動機構駆動用モータ２４と、支持部材２３と、バネ部２８とを備えている。
【００６６】
第２移動機構駆動用モータ２４は、右側方吹き出し流路Ｄ外に配置されており、室内機ケーシング１２に固定されている。具体的には、第２移動機構駆動用モータ２４は、図１３に示すように、室内機ケーシング１２内であって、吹出口１５の第３部分１７ｂの後部よりも室内機ケーシング１２の後方に配置されている。
【００６７】
また、第２移動機構駆動用モータ２４は、第２移動機構駆動用モータ２４が駆動することによって回転する駆動軸２４ｂと、駆動軸２４ｂに連動して回転する連動レバー２４ａとを有している。駆動軸２４ｂは、室内機１０の略前後方向に延びている。具体的には、駆動軸２４ｂは、図１３に示すように、室内機１０の前後方向に対して駆動軸２４ｂの後部が前部よりも下がるように傾斜して配置されている。
【００６８】
支持部材２３は、前方支持部材２３ａと後方支持部材２３ｂとを有している。前方支持部材２３ａの下端部は、右側方遮蔽部材２０の第２端部２０ｂ近傍に固定されている。また、前方支持部材２３ａの上端部は、室内機ケーシング１２に回転自在に支持されている。後方支持部材２３ｂの下端部は、右側方遮蔽部材２０の第１端部２０ａ近傍に固定されている。また、後方支持部材２３ｂの上端部は、第２移動機構駆動用モータ２４の有する駆動軸２４ｂに連結されている。このため、後方支持部材２３ｂは、駆動軸２４ｂが回転することで駆動軸２４ｂを中心に回転可能である。
【００６９】
バネ部２８は、バネ保持部２８ａと、バネ保持部２８ａの外周面上にその一部が配置されるバネ部材２８ｂとを有している。バネ保持部２８ａは、駆動軸２４ｂを中心に回転可能に設けられている。また、バネ保持部２８ａは、その一部が後方支持部材２３ｂと連結している。さらに、バネ保持部２８ａは、係止ピン２８ｃを含む。係止ピン２８ｃは、バネ保持部２８ａから突設されている。
【００７０】
バネ部材２８ｂは、その一端が図１２に示す矢印Ｘ１方向より係止ピン２８ｃに架かっており、係止ピン２８ｃを介してバネ保持部２８ａを図１２に示す矢印Ｘ１方向に付勢している。また、バネ部材２８ｂの他端は、室内機ケーシング１２に固定されている。このため、バネ部材２８ｂは、係止ピン２８ｃを介して図１２に示す矢印Ｘ１方向に後方支持部材２３ｂを常に付勢している。
【００７１】
このような構成によって、第２移動機構２９では、第２移動機構駆動用モータ２４の駆動によって連動レバー２４ａがバネ部材２８ｂの付勢力に抗して係止ピン２８ｃの当接部を押圧して図１２中の矢印Ｘ２方向に回動することで、後方支持部材２３ｂが同方向に回動する。このため、右側方遮蔽部材２０は、傾斜して配置されている駆動軸２４ｂを回転軸として、吹出口１５の第３部分１７ｂを開放する方向に移動する。すなわち、第２移動機構駆動用モータ２４は、バネ部材２８ｂによる付勢力に抗して右側方遮蔽部材２０の状態を閉状態から開状態に切り換える。このようにして、右側方遮蔽部材２０の第１部２１が収納空間Ｓに収納される。なお、このとき、右側方遮蔽部材２０において収納空間Ｓに収納されていない部分である第２部２２の一部が、上下風向調整羽根３０が閉状態である場合に位置している空間である吹出口１５の第１部分１６に配置される。
【００７２】
また、バネ部材２８ｂによって後方支持部材２３ｂが図１２に示す矢印Ｘ１方向に常に付勢されているため、右側方遮蔽部材２０はその状態が常に閉状態となる方向に付勢されている。したがって、第２移動機構２９では、第２移動機構駆動用モータ２４の駆動によって連動レバー２４ａが図１２に示す矢印Ｘ１方向に回動することで、バネ部材２８ｂの付勢力によって係止ピン２８ｃおよび後方支持部材２３ｂが同方向に回動する。これによって、右側方遮蔽部材２０は、駆動軸２４ｂを回転軸として、吹出口１５の第３部分１７ｂを遮蔽する方向に移動する。
【００７３】
なお、第２移動機構９９では、第２移動機構駆動用モータ９４の駆動によって、左側方遮蔽部材９０が、バネ部材による付勢力に抗して閉状態から開状態に切り換えられたり、バネ部材の付勢力によって開状態から閉状態に切り換えられたりする。また、第２移動機構駆動用モータ２４，９４の駆動は、後述する制御部８４によって制御されている。
【００７４】
＜制御部＞
図１４は、空気調和機の備える制御部８４の制御ブロック図である。
【００７５】
制御部８４は、図１４に示すように、室内機１０および室外機２の各種機器と接続されており、リモートコントローラ８６を介した空調対象者からの運転指令に基づいて、冷房運転や暖房運転等の各運転モードに応じた各種機器の運転制御を行うことができる。
【００７６】
また、リモートコントローラ８６には、運転停止／開始ボタン、運転切り換えボタン、および、風向設定ボタン８６ａ等の複数のスイッチが設けられている。運転停止／開始ボタンは、空調対象者によって空気調和機の運転が停止されるとき、または、運転が開始されるときに操作されるスイッチである。また、運転切り換えボタンは、空調対象者によって空気調和機の冷房運転または暖房運転等の各種運転モードが設定されるときに操作されるスイッチである。さらに、風向設定ボタン８６ａは、空調対象者によって室内機１０から吹き出される空気の吹き出し方向が設定されるときに操作されるスイッチである。例えば、空調対象者によって風向設定ボタン８６ａが押されると、制御部８４は空調対象者からの風向設定指令を制御信号として受信する。なお、本実施形態における風向設定指令には、調和空気が室内機１０の側方にも吹き出すように空気の吹き出し方向を設定するための指令である第１指令と、調和空気が空調対象者に直接当たらないように室内機１０の前側上方および側方に吹き出すように空気の吹き出し方向を設定するための指令である第２指令とが含まれる。また、風向設定指令の第１指令は、上下風向調整羽根３０が第２開状態または第３開状態を採っている場合にのみ為される指令とする。
【００７７】
また、制御部８４は、駆動制御部８５を有する。駆動制御部８５は、迫り出し機構駆動用モータ５４および２つの角度調整機構駆動用モータ７３ａ，７３ｂの回転数と回転方向とを制御することで、迫り出し機構４１，５１，６１および角度調整機構７１ａ，７１ｂを任意のタイミングで駆動させる。これによって、上下風向調整羽根３０の状態を切り換えることができる。また、駆動制御部８５は、第２移動機構駆動用モータ２４，９４の回転数および回転方向を制御することで、第２移動機構２９，９９を任意のタイミングで駆動させる。これによって、側方遮蔽部材２０，９０の状態を切り換えることができる。
【００７８】
なお、駆動制御部８５は、側方遮蔽部材２０，９０を閉状態から開状態に切り換える場合には、側方遮蔽部材２０，９０と上下風向調整羽根３０とが干渉しないように、上下風向調整羽根３０の状態を閉状態から第１開状態、第２開状態、または、第３開状態に切り換えた後に、側方遮蔽部材２０，９０の状態を閉状態から開状態に切り換える。また、駆動制御部８５は、上下風向調整羽根３０の状態を第１開状態、第２開状態、または、第３開状態から閉状態に切り換える場合であって、側方遮蔽部材２０，９０が開状態である場合には、側方遮蔽部材２０，９０と上下風向調整羽根３０とが干渉しないように、側方遮蔽部材２０，９０の状態を開状態から閉状態に切り換えた後に、上下風向調整羽根３０の状態を第１開状態、第２開状態、または、第３開状態から閉状態に切り換える。
【００７９】
また、制御部８４は、受信した風向設定指令に関する制御信号、冷房運転または暖房運転の運転モード設定指令に関する制御信号、および、運転停止指令に関する制御信号を駆動制御部８５に送信する。そして、駆動制御部８５は、制御部８４から送信された制御信号に基づいて、上下風向調整羽根３０および側方遮蔽部材２０，９０の状態を切り換える。
【００８０】
例えば、制御部８４から冷房運転の運転モード設定指令に関する制御信号が送信された場合、駆動制御部８５は、上下風向調整羽根３０の状態が第２開状態となるように第１移動機構５０を駆動させる。
【００８１】
これによって、吹出口１５の第１部分１６から吹き出された調和空気は、上下風向調整羽根３０によって規制されて室内機１０の前側下方に吹き出される。
【００８２】
また、例えば、制御部８４から暖房運転の運転モード設定指令に関する制御信号が送信された場合、駆動制御部８５は、上下風向調整羽根３０の状態が第３開状態となるように第１移動機構５０を駆動させる。
【００８３】
これによって、吹出口１５の第１部分１６から吹き出された調和空気は、上下風向調整羽根３０によって規制されて室内機１０の下方に吹き出される。
【００８４】
また、例えば、制御部８４から第１指令に関する制御信号が送信された場合、駆動制御部８５は、側方遮蔽部材２０，９０の状態が開状態となるように、第２移動機構２９，９９を駆動させる。
【００８５】
これによって、吹出口１５の第２部分１７ａおよび第３部分１７ｂに至った調和空気は、室内機１０の側方に向かって吹き出される。なお、このとき、駆動制御部８５は、第１移動機構５０を駆動させないため、上下風向調整羽根３０の状態は、第２開状態または第３開状態のいずれか一方の状態が維持される。したがって、空調対象者からリモートコントローラ８６を介して第１指令が為された場合、調和空気は、室内機１０の側方と、室内機１０の前方下方または下方とに吹き出される。
【００８６】
また、例えば、制御部８４から第２指令に関する制御信号が送信された場合、駆動制御部８５は、上下風向調整羽根３０の状態が第１開状態となるように第１移動機構５０を駆動させるとともに、側方遮蔽部材２０，９０の状態が開状態となるように第２移動機構２９，９９を駆動させる。
【００８７】
これによって、吹出口１５の第１部分１６から吹き出された調和空気は、上下風向調整羽根３０によって規制されて室内機１０の前側上方に吹き出される。また、吹出口１５の第２部分１７ａおよび第３部分１７ｂに至った調和空気は、室内機１０の側方に向かって吹き出される。
【００８８】
また、例えば、制御部８４から冷房運転および暖房運転の運転停止指令に関する制御信号が送信された場合、駆動制御部８５は、上下風向調整羽根３０および側方遮蔽部材２０，９０の状態が閉状態となるように第１移動機構５０および／または第２移動機構２９，９９を駆動させる。
【００８９】
これによって、上下風向調整羽根３０および側方遮蔽部材２０，９０によって、吹出口１５が遮蔽される。
【００９０】
＜特徴＞
（１）
上記実施形態では、側方遮蔽部材２０，９０は、室内機１０の側方に調和空気を吹き出すために室内機ケーシング１２の側面に形成されている開口部分を含む吹出口１５の第２部分１７ａおよび第３部分１７ｂを遮蔽したり開放したりすることができる。言い換えると、側方遮蔽部材２０，９０は、吹出口１５の第２部分１７ａおよび第３部分１７ｂを開閉することができる。このため、例えば、側方に空気を吹き出させる必要がない場合には側方遮蔽部材２０，９０によって吹出口１５の第２部分１７ａおよび第３部分１７ｂを遮蔽することができ、側方に空気を吹き出させる必要がある場合には側方遮蔽部材２０，９０によって吹出口１５の第２部分１７ａおよび第３部分１７ｂを開放することができる。
【００９１】
これによって、必要に応じて側方に調和空気を吹き出させることができている。
【００９２】
（２）
上記実施形態では、閉状態である側方遮蔽部材２０，９０が第２移動機構２９，９９によって室内機本体１１の左右方向の中央に向かって移動されることで、側方遮蔽部材２０，９０の状態が閉状態から開状態に移行されている。このため、側方遮蔽部材２０，９０が開状態を採っても、室内機１０の左右方向の幅が広がらないようにすることができる。したがって、例えば、側方遮蔽部材が閉状態から開状態に移行する場合に側方遮蔽部材が室内機から離れる方向に向かって移動される場合と比較して、室内機１０の設置時において、側方遮蔽部材２０，９０の開閉が可能か否かについての設置スペースの制約を生じさせないようにすることができる。
【００９３】
これによって、室内機１０の設置に際して、室内機１０の設置スペースの制約が生じるおそれを減らすことができている。
【００９４】
（３）
上記実施形態では、側方遮蔽部材２０，９０および上下風向調整羽根３０が閉状態である場合には、室内機１０の底面視において、吹出口１５のうち室内機ケーシング１２の底面に形成されている開口部分を覆う側方遮蔽部材２０，９０の第１部と上下風向調整羽根３０とが左右方向に概ね連続して配置されている。このため、側方遮蔽部材２０，９０および上下風向調整羽根３０が閉状態である場合に、側方遮蔽部材２０，９０と上下風向調整羽根３０との間の目地が目立つおそれを減らすことができている。
【００９５】
また、上記実施形態では、閉状態である側方遮蔽部材２０，９０が、第２移動機構２９，９９によって上下風向調整羽根３０の上側に移動されることで、側方遮蔽部材２０，９０の状態を閉状態から開状態に切り換わる。このため、側方遮蔽部材２０，９０の状態を閉状態から開状態に移行するときに、側方遮蔽部材２０，９０が上下風向調整羽根３０と干渉するおそれを減らすことができている。
【００９６】
（４）
上記実施形態では、側方遮蔽部材２０，９０が開状態を採る場合には、上下風向調整羽根３０は、第１開状態、第２開状態または第３開状態のいずれかの状態を採っている。すなわち、側方遮蔽部材２０，９０が開状態と採る場合には、上下風向調整羽根３０は、吹出口１５において第１部分１６に相当する開口面よりも下側に離れて配置されている。また、側方遮蔽部材２０，９０が開状態である場合には、側方遮蔽部材２０，９０の第２部の一部が、吹出口１５の第１部分１６に配置される。このため、側方遮蔽部材２０，９０が閉状態から開状態に移行する場合に、側方遮蔽部材２０，９０と上下風向調整羽根３０とが干渉するおそれを減らすことができている。
【００９７】
（５）
上記実施形態では、第１形成部材２６，９６と第２形成部材２７，９７とによって、開状態である側方遮蔽部材２０，９０の第１部が収納される収納空間Ｓが形成される。このため、開状態である側方遮蔽部材２０，９０の少なくとも一部を収納することができている。さらに、側方遮蔽部材２０，９０が開状態を採る場合には、側方遮蔽部材２０，９０の第１部が収納空間Ｓに収納されることで、室内機１０の外郭からの側方遮蔽部材２０，９０の突出を抑えることができる。したがって、側方遮蔽部材２０，９０が開状態を採る場合でも、室内機１０の外観が損なわれるおそれを減らすことができる。
【００９８】
また、上記実施形態では、室内機ケーシング１２の一部および第１形成部材２６によって、吹出口１５の第３部分１７ｂに向かう空気が流れる右側方吹き出し流路Ｄが形成されている。また、室内機ケーシング１２の一部および第１形成部材９６によって、吹出口１５の第２部分１７ａに向かう空気が流れる左側方吹き出し流路Ｃが形成されている。また、側方遮蔽部材２０，９０が開状態である場合には、各側方遮蔽部材２０，９０は、右側吹き出し流路Ｄおよび左側吹き出し流路Ｃから離れた位置に配置される。このため、例えば、側方吹き出し流路を流れる調和空気に側方遮蔽部材が接触する構成である場合と比較して、側方遮蔽部材２０，９０が吹き出し流路Ｄおよび左側吹き出し流路Ｃを流れる調和空気に接触するおそれを減らすことができる。
【００９９】
これによって、側方遮蔽部材２０，９０が結露するおそれを減らすことができている。
【０１００】
（６）
上記実施形態では、第１形成部材２６，９６および第２形成部材２７，９７が室内機ケーシング１２に固定されている。このため、側方遮蔽部材２０，９０の開閉によって収納空間が移動しないようにすることができている。
【０１０１】
また、第１形成部材２６，９６が室内機ケーシング１２に固定されているため、側方遮蔽部材２０，９０の開閉によって右側方吹き出し流路Ｄおよび左側方吹き出し流路Ｃが移動しないようにすることができている。
【０１０２】
（７）
上記実施形態では、第２移動機構駆動用モータ２４，９４は、それぞれ、右側方吹き出し流路Ｄ外および左側方吹き出し流路Ｃ外に配置されている。このため、右側方吹き出し流路Ｄ外および左側方吹き出し流路Ｃを流れる空気の流れが第２移動機構駆動用モータ２４，９４によって規制されるおそれを減らすことができる。
【０１０３】
これによって、吹出口１５の第２部分１７ａおよび第３部分１７ｂから吹き出される空気の吹き出し方向を変更するおそれを減らすことができている。
【０１０４】
（８）
上記実施形態では、側方遮蔽部材２０，９０は、室内機１０の略前後方向に沿って配置される駆動軸を回転軸として回動することで、開状態から閉状態に、または、閉状態から開状態に移行する。このため、側方遮蔽部材２０，９０の室内機１０の外郭からの突出量を抑えることができる。
【０１０５】
また、上記実施形態では、駆動軸が、室内機１０の前後方向に対して傾斜して配置されている。このため、吹出口１５の第２部分１７ａおよび第３部分１７ｂから斜め前方に空気を吹き出させることができる。
【０１０６】
（９）
上記実施形態では、室内機ケーシング１２内には、室内ファン１４が１つだけ配置されている。このため、この室内機１０では、１つの室内ファン１４によって室内機ケーシング１２内部の空気流が形成されている。したがって、例えば、室内機ケーシング内部の空気流を形成可能な室内ファンが複数個室内機ケーシング内に配置されている場合と比較して、部品点数を削減することができている。
【０１０７】
＜変形例＞
（Ａ）
上記実施形態では、第２移動機構駆動用モータ２４，９４が、右側方吹き出し流路Ｄ外および左側方吹き出し流路Ｃ外にそれぞれ配置されている。
【０１０８】
これに代えて、第２移動機構駆動用モータが、各側方吹き出し流路内に配置されていてもよい。
【０１０９】
例えば、第２移動機構駆動用モータが、室内機ケーシング内であって、吹出口の第２部分の前部および第３部分の前部を遮蔽する位置それぞれ配置されている場合には、吹出口の第２部分の前部および第３部分の前部から前方に向かって空気を吹き出させ難くすることができる。
【０１１０】
これによって、側方に空気を吹き出させやすくすることができる。
【０１１１】
また、第２移動機構駆動用モータを側方遮蔽部材の回転軌跡内部に配置することで、側方遮蔽部材を安定して移動させることができる。
【０１１２】
（Ｂ）
上記実施形態では、第２移動機構２９，９９において、第２移動機構駆動用モータ２４，９４の有する駆動軸と後方支持部材とが直接連結されているが、これに限定されず、第２移動機構が、駆動軸を回転軸として側方遮蔽部材を回動させることができるような機構であればよい。例えば、駆動軸と後方支持部材とがラック／ピニオン機構を構成していてもよい。また、例えば、第２移動機構がリンク機構であってもよい。
【０１１３】
−第２実施形態−
図１５は、空気調和機の運転が停止している状態である場合の室内機１１０の外観斜視図である。図１６は、空気調和機において暖房運転が行われている場合の室内機１１０の外観斜視図である。図１７は、空気調和機において暖房運転が行われており、かつ、側方開口部１１７が開放されている状態の室内機１１０の外観斜視図である。なお、図１６および図１７において、符号１１６は、吹出口１１５において、室内機ケーシング１１２の底面に形成されており、上下風向調整羽根１３０によって覆うことが可能な開口部分を示している。
【０１１４】
本発明の第２実施形態に係る空気調和機について説明する。なお、この空気調和機の構成において、室内機１１０以外の構成は第１実施形態と同様の構成であるため、説明を省略する。
【０１１５】
室内機１１０は、室内の壁面等に取り付けられる壁掛型の室内機である。また、室内機１１０は、主として、室内機本体１１１と、上下風向調整羽根１３０と、第１移動機構と、第２移動機構と、を備えている。なお、上下風向調整羽根１３０および第１移動機構の構成は、第１実施形態と同様の構成であるため説明を省略する。
【０１１６】
＜室内機本体の構成＞
室内機本体１１１は、主に、室内機ケーシング１１２と、室内熱交換器と、室内ファンと、垂直羽根とを備えている。また、室内機本体１１１において、室内熱交換器、室内ファンおよび垂直羽根の構成は、第１実施形態と同様の構成であるため、ここでは説明を省略する。
【０１１７】
室内機ケーシング１１２は、ケーシング本体１１２ａと、前面パネル１１３とを有している。ケーシング本体１１２ａは、水平方向に長い略直方形状の部材である。また、ケーシング本体１１２ａには、室内熱交換器、室内ファン、および、垂直羽根等が収納されている。さらに、ケーシング本体１１２ａには、取込口（図示せず）と、吹出口１１５とが形成されている。取込口は、室内の空気を室内機ケーシング１１２の内側に取り込むための開口であって、ケーシング本体１１２ａの上部に形成されている。
【０１１８】
また、吹出口１１５は、室内機本体１１１内で調和された空気を吹き出すための開口であって、室内機１１０の下部近傍に形成されている。具体的には、吹出口１１５は、ケーシング本体１１２ａの底面から両側面にかけて連続して形成されている。このため、吹出口１１５は、室内機１１０の側面視において、その一部を視認可能である。
【０１１９】
前面パネル１１３は、前部１１３ａと、前部１１３ａの両端部から室内機本体１１１の後方向に延びる側部１１３ｂとを含む。前部１１３ａは、ケーシング本体１１２ａの前側の略全部を覆うことが可能である。側部１１３ｂは、ケーシング本体１１２ａの両側面の一部を覆うことが可能である。また、側部１１３ｂは、吹出口１１５においてケーシング本体１１２ａの側面に形成されている開口部分（以下、側方開口部１１７という）を覆うことができる。
【０１２０】
また、前面パネル１１３は、２つの状態（閉状態および開状態）を採ることができる。
【０１２１】
前面パネル１１３が閉状態の場合には、図１５および図１６に示すように、前面パネル１１３の側部１１３ｂが側方開口部１１７を覆うように配置される。
【０１２２】
また、前面パネル１１３が開状態の場合には、図１７に示すように、前面パネル１１３の側部１１３ｂが側方開口部１１７を開放するように配置される。具体的には、前面パネル１１３が開状態の場合には、前面パネル１１３が閉状態である場合の前面パネル１１３の位置と比較して、ケーシング本体１１２ａに対して上方に配置されている。
【０１２３】
＜第２移動機構の構成＞
第２移動機構は、第１移動機構とは別の移動機構であって、前面パネル１１３の状態を切り換えるために、前面パネル１１３を室内機本体１１１に対して上下方向にスライド移動させることが可能である。
【０１２４】
第２移動機構は、室内機ケーシング１１２の内部に配置されている。また、第２移動機構は、ラック／ピニオン機構であって、駆動部の駆動力によって前面パネル１１３を移動させることで、側方開口部１１７を開閉する。このため、第２移動機構は、駆動部から伝わる回転運動を側方開口部１１７の開閉動作、すなわち、前面パネル１１３の上下方向の直線運動に変換する変換機構として機能する。なお、本実施形態では、第２移動機構はラック／ピニオン機構であるが、これに限定されず、前面パネルを上下方向にスライド移動させることができる機構であればよい。例えば、前面パネルを上下方向にスライド移動させることができる機構であれば、第２移動機構が、リンク機構等の別の機構であってもよい。
【０１２５】
このような構成によって、この室内機１１０では、前面パネル１１３を室内機本体１１１に対して上方向にスライド移動することで、側方開口部１１７を開放することができる。
【０１２６】
これによって、必要に応じて側方に空気を吹き出させることができる。
【０１２７】
また、前面パネル１１３は上下方向にスライド移動されることで側方開口部１１７が遮蔽または開放されるため、前面パネル１１３が室内機１１０の外郭から左右方向へ突出しないようにすることができる。したがって、前面パネル１１３の開閉において、室内機１１０の外郭から左右方向への前面パネル１１３の突出量を抑えることができる。
【産業上の利用可能性】
【０１２８】
本発明は、必要に応じて側方に空気を吹き出させることができる室内機の発明であるため、壁掛型の室内機への適用が有効である。
【符号の説明】
【０１２９】
１１２ａ    ケーシング本体（ケーシング）
１１３      前面パネル（遮蔽部材）
１１７      側方開口部（側方吹出口）
１１０  室内機
１１１  室内機本体（本体）
【先行技術文献】
【特許文献】
【０１３０】
【特許文献１】特開２００６−２９８４号公報
【図１】
2011191055.tif 000003
【図２】
2011191055.tif 000004
【図３】
2011191055.tif 000005
【図４】
2011191055.tif 000006
【図５】
2011191055.tif 000007
【図６】
2011191055.tif 000008
【図７】
2011191055.tif 000009
【図８】
2011191055.tif 000010
【図９】
2011191055.tif 000011
【図１０】
2011191055.tif 000012
【図１１】
2011191055.tif 000013
【図１２】
2011191055.tif 000014
【図１３】
2011191055.tif 000015
【図１４】
2011191055.tif 000016
【図１５】
2011191055.tif 000017
【図１６】
2011191055.tif 000018
【図１７】
2011191055.tif 000019